(57)【要約】【課題】圧縮機を安定して底フレーム上に固定することができ、しかも、底フレームの板厚を薄く設定できて、コストの低減及び室外機の軽量化を図ることが可能な圧縮機支持構造を提供する。【解決手段】空気調和機用室外機の底フレーム４のボルト取付部２３に、鍔部２４が載置された状態で立設される圧縮機固定用ボルト部材２５を備えた圧縮機支持構造である。底フレーム４の一部を上方へ隆起させてボルト取付部２３を形成する。鍔部２４の外縁部２４ａが、鍔部載置面３２の外縁部３２ａにほぼ対応するか、あるいは鍔部載置面３２の外縁部３２ａからはみ出すように設定する。【選択図】図２
2005055129.tif 000002
【特許請求の範囲】
【請求項１】
空気調和機用室外機の底フレーム（４）のボルト取付部（２３）に、鍔部（２４）が載置された状態で立設される圧縮機固定用ボルト部材（２５）を備えた圧縮機支持構造であって、上記底フレーム（４）の一部を上方へ隆起させて上記ボルト取付部（２３）を形成すると共に、このボルト取付部（２３）の上面を鍔部載置面（３２）として、上記鍔部（２４）の外縁部（２４ａ）が、上記鍔部載置面３２の外縁部（３２ａ）にほぼ対応するか、あるいは上記鍔部載置面３２の外縁部（３２ａ）からはみ出すように設定したことを特徴とする圧縮機支持構造。
【請求項２】
上記ボルト取付部（２３）の鍔部載置面（３２）を円形状平面としたことを特徴とする請求項１の圧縮機支持構造。
【請求項３】
上記ボルト取付部（２３）の鍔部載置面（３２）を矩形状平面又は長円形状平面としたことを特徴とする請求項１の圧縮機支持構造。
【発明の詳細な説明】
【技術分野】
【０００１】
この発明は、圧縮機支持構造に関し、特に空気調和機の室外機における圧縮機を支持するためのボルト取付部の改善に関するものである。
【背景技術】
【０００２】
一般に、空気調和機は室内機と室外機とを備える。そして、室内機は室内熱交換器やファン等が室内機ケーシングに収納されてなり、室外機は室外熱交換器や圧縮機等が室外機ケーシングに収納されてなる。また、圧縮機は、室外機ケーシングの底フレームに固定される。この場合、圧縮機支持構造として両端にねじを切ったスタッドボルトを圧縮機固定用ボルト部材として使用するものがある（例えば、特許文献１参照）。
【０００３】
上記特許文献１の圧縮機支持構造は模式的に示すと図６に示す構造となる。圧縮機固定用ボルト部材５１は、両端部にねじ部５２、５３を有する軸部５４と、この軸部５４の一方（下方）のねじ部５２側に設けられる鍔部５５とからなり、また、底フレーム５６には断面台形状のボルト取付部５７が設けられている。この場合、ボルト部材５１の鍔部５５よりも下側のねじ部５２を、ボルト取付部５７の上壁５８に設けられた孔部（図示省略）を介して底フレーム５６の裏面側に突出し、そのねじ部５２にナット部材５９を螺着することによって、鍔部５５よりも上側の軸部５４をボルト取付部５７の上壁５８から上方へ突出させている。そして、この軸部５４を、圧縮機の支持脚片（図示省略）に挿通すると共に、支持脚片とボルト取付部５７との間に防振ゴム（図示省略）を介装し、支持脚片から突出した軸部５４のねじ部５３にナット部材（図示省略）を螺着する。これによって、圧縮機を底フレーム５６に支持していた。
【特許文献１】特開２００１−２４８８６３号公報（第３−４頁、第１図）
【発明の開示】
【発明が解決しようとする課題】
【０００４】
ところで、ボルト部材５１に対して傾動するような荷重（例えば矢印Ａ方向の荷重）が作用した場合、ボルト取付部５７の上壁５８の上面６０に載置状となっている鍔部５５が、その中心部を支点にして傾こうとする。この際、荷重が鍔部５５の外周縁部５５ａから上壁５８に矢印Ｂのように作用する。しかしながら、図６に示すような構造において、ボルト部材５１の鍔部５５の外径寸法Ｄが、ボルト取付部５７の上面６０の外径寸法Ｄ１よりも小さく設定され、しかも、この上壁５８には、ボルト挿通用の孔部が設けられているので、ボルト取付部５７はこの傾動に対する剛性が不足して、上壁５８が下方に湾曲してボルト部材５１の傾動を許容することになる。このため、圧縮機を安定して支持することができず、振動や騒音が発生する原因となっていた。ところで、この図６に示すものにおいて、底フレーム５６の板厚を大きくして剛性を大として、圧縮機を安定良く支持させることも可能である。しかしながら、底フレーム５６の板厚を大きくすれば、コスト高となると共に、室外全体の重量が大となって、設置作業性に劣ることになる。
【０００５】
この発明は上記従来の欠点を解決するためになされたものであって、その目的は、圧縮機を安定して底フレーム上に固定することができ、しかも、底フレームの板厚を薄く設定できて、コストの低減及び室外機の軽量化を図ることが可能な圧縮機支持構造を提供することにある。
【課題を解決するための手段】
【０００６】
そこで請求項１の圧縮機支持構造は、空気調和機用室外機の底フレーム４のボルト取付部２３に、鍔部２４が載置された状態で立設される圧縮機固定用ボルト部材２５を備えた圧縮機支持構造であって、上記底フレーム４の一部を上方へ隆起させて上記ボルト取付部２３を形成すると共に、このボルト取付部２３の上面を鍔部載置面３２として、上記鍔部２４の外縁部２４ａが、上記鍔部載置面３２の外縁部３２ａにほぼ対応するか、あるいは鍔部載置面３２の外縁部３２ａからはみ出すように設定したことを特徴としている。
【０００７】
請求項１の圧縮機支持構造では、圧縮機２からこの圧縮機固定用ボルト部材２５に対して傾動する方向の荷重が作用した場合、鍔部２４がその中心部を支点としてその荷重方向に傾こうとして、鍔部２４の外縁部２４ａからボルト取付部２３の鍔部載置面３２に対して下向きの荷重が作用する。しかしながら、この場合、圧縮機固定用ボルト部材２５の鍔部２４の外縁部２４ａが、上記鍔部載置面３２の外縁部３２ａにほぼ対応するか、あるいは鍔部載置面３２の外縁部３２ａからはみ出すように設定したので、この荷重を鍔部載置面３２の外縁部３２ａにて受けることができる。すなわち、ボルト取付部２３での許容荷重が向上して、剛性不足となることなく、ボルト部材２５の傾きを防止することができる。
【０００８】
請求項２の圧縮機支持構造は、上記ボルト取付部２３の鍔部載置面３２を円形状平面としたことを特徴としている。
【０００９】
上記請求項２の圧縮機支持構造では、ボルト取付部２３の鍔部載置面３２を円形状平面としたので、この鍔部載置面３２の円形の外縁部（稜線部）３２ａにて、ボルト部材２５が傾動しようする際に作用する荷重を受けることができる。
【００１０】
請求項３の圧縮機支持構造は、上記ボルト取付部２３の鍔部載置面３２を矩形状平面としたことを特徴としている。
【００１１】
上記請求項３の圧縮機支持構造では、ボルト取付部２３の鍔部載置面３２を矩形状平面としたので、鍔部載置面３２の外縁部３２ａ、つまり幅方向端縁部３２ｂ、３２ｂにて、ボルト部材２５が傾動しようする際に作用する荷重を受けることができる。
【発明の効果】
【００１２】
請求項１の圧縮機支持構造によれば、ボルト取付部での許容荷重が向上するので、底フレームの板厚を大きくすることなく、圧縮機を安定して支持することができる。このため、振動や騒音の発生を抑えることができ、静かな室外機を構成することができる。しかも、底フレームの板厚を小さくできるので、コストの低減を図ると共に、軽量化を達成して、設置作業性及び搬送性の向上を図ることができる。
【００１３】
請求項２の圧縮機支持構造によれば、鍔部載置面の円形の外縁部（稜線部）にて、ボルト部材が傾動しようする際に作用する荷重を受けることができるので、圧縮機を一層安定して支持することができ、ボルト取付部での許容荷重が確実に向上する。
【００１４】
請求項３の圧縮機支持構造によれば、鍔部載置面の外縁部、つまり幅方向端縁部にて、ボルト部材が傾動しようする際に作用する荷重を受けることができるので、圧縮機を一層安定して支持することができ、ボルト取付部での許容荷重が確実に向上する。
【発明を実施するための最良の形態】
【００１５】
次にこの発明の圧縮機支持構造を具体的な実施の形態について図面を参照しつつ詳細に説明する。図１はこの圧縮機支持構造を使用した空気調和機の室外機の底フレームの斜視図を示している。空気調和機は室内機（図示省略）と室外機１（図３参照）とを備える。そして、室内機は室内熱交換器やファン等が室内機ケーシングに収納されてなり、室外機１は室外熱交換器（図示省略）や圧縮機２（図１参照）やファン（図示省略）等が室外機ケーシング３に収納されてなる。また、室外機ケーシング３は、図３に示すように、上記底フレーム４と、前壁５と、後壁６と、側壁７、８と、上壁（天板）９とを備える。なお、前壁５には風通過孔１０が設けられ、この風通過孔１０に対応して上記ファン（図示省略）が室外機ケーシング３内に配置されている。
【００１６】
上記底フレーム４は、図１に示すように、平面視略矩形状の平板体からなり、その周縁部には立上片１１が設けられている。そして、この室外機１には上記したように、圧縮機２と室外熱交換器等が収納されるので、この底フレーム４には、圧縮機設置部１２と、室外熱交換器設置部１３等が設けられる。
【００１７】
この場合、圧縮機設置部１２は一方の短辺４ａ側に設けられ、室外熱交換器設置部１３は後方の長辺側から他方の短辺４ｂに沿って設けられる。すなわち、底フレーム４の上面には、凹部１５・・と凸部１６・・と基準平部１７・・等からなる凹凸面部１８が形成され、圧縮機設置部１２は、第１凸部１６ａと第２凸部１６ｂと第３凸部１６ｃ等で構成される。この場合、第１凸部１６ａと第２凸部１６ｂとは連続しており、その高さが第３凸部１６ｃよりも低く、基準平部１７よりも高く設定されている。そして、第１凸部１６ａと第２凸部１６ｂと第３凸部１６ｃとで挟まれる範囲に平面視略円形の第１凹部１５ａが形成されている。また、長手方向（左右方向）中央部には、前方から後方に向かって順次、第２凹部１５ｂと、第３凹部１５ｃと、第４凹部１５ｄと、第５凹部１５ｅが配置される。このため、第２凹部１５ｂと第３凹部１５ｃとの間に第４凸部１６ｄが設けられ、第３凹部１５ｃと第４凹部１５ｄとの間に第５凸部１６ｅが設けられ、第４凹部１５ｄと第５凹部１５ｅとの間に第６凸部１６ｆが設けられる。さらに、第１凹部１５ａと第３凹部１５ｃとが連結用凹部２０ａにて連結され、第２凹部１５ｂと第３凹部１５ｃとが連結用凹部２０ｂにて連結され、第３凹部１５ｃと第４凹部１５ｄとが連結用凹部２０ｃ、２０ｄにて連結され、第４凹部１５ｄと第５凹部１５ｅとが連結用凹部２０ｅ、２０ｆにて連結されている。なお、第１凹部１５ａには、この第１凹部１５ａから連結用凹部２０ａを介して第３凹部１５ｃに至る第７凸部１６ｇが設けられている。
【００１８】
そして、上記第５凹部１５ｅにドレン水排出口２１が設けられ、この底フレーム４上に滴下したドレン水は、各凹部１５・・を流れて、最終的に第５凹部１５ｅに入って、このドレン水排出口２１から外部へ排出される。このため、各凹部１５・・にてドレン水排出溝２２を構成すると共に、第５凹部１５ｅがドレン水集合溝となる。例えば、圧縮機設置部１２の第１凹部１５ａに圧縮機２周辺のドレン水が滴下すれば、このドレン水が、この第１凹部１５ａから連結用溝２０ａを介して第３凹部１５ｃに侵入すると共に、連結用凹部２０ｄを介して第４凹部１５ｄに入って、さらに、連結凹部２０ｅ、２０ｆを介して、第５凹部１５ｅからなるドレン水集合溝に入って、ドレン水排出口２１から外部へ排出される。
【００１９】
ところで、圧縮機設置部１２には、圧縮機２をこの圧縮機設置部１２に固定するための圧縮機支持構造が形成されている。この圧縮機支持構造は、底フレーム４のボルト取付部２３に、鍔部２４が載置された状態で立設される圧縮機固定用ボルト部材２５（以下単にボルト部材２５と呼ぶ場合がある。）を備えたものである。このボルト部材２５は、図２（ａ）に示すように、一端部（上端部）にねじ部２７を有するに軸部２８と、この軸部２８の他端部（下端部）２６側に設けられる円盤状の上記鍔部２４とからなる。また、底フレーム４のボルト取付部２３は、第１凸部１６ａ、第２凸部１６ｂ、及び第３凸部１６ｃにそれぞれ設けられる。この場合、底フレーム４の一部（第１凸部１６ａ、第２凸部１６ｂ、第３凸部１６ｃの一部）を上方へ隆起させたものであって、その断面形状が台形状とされる。すなわち、ボルト取付部２３は、略円形の上壁３０と、この上壁３０の外周側に連設される側壁部３１とからなり、外形形状としては円錐台とされる。この場合、側壁部３１の傾斜角度αとしては、４５度程度としている。なお、図示省略するが、各ボルト取付部２３の側壁部３１に補強用のリブを設けてもよい。
【００２０】
この際、図２（ａ）のように、ボルト取付部２３の上壁３０に設けられた貫通孔（図示省略）を介して、ボルト部材２５の下端部２６を上壁３０の下方へ突出させた後、図２（ｂ）のように、この突出した下端部２６をカシメ等にて圧潰して圧潰部２９を形成し、この圧潰部２９と鍔部２４とで上壁３０を挟んだ状態とする。これによって、このボルト部材２５は、ボルト取付部２３の上壁３０の上面である鍔部載置面３２に鍔部２４が載置された状態で立設される。この場合、鍔部２４の外径寸法Ｄを鍔部載置面３２の外径寸法Ｄ１と略同一としている。なお、ボルト部材２５としては下端部２６にねじ部が設けられたものであってもよい。このように、下端部２６にねじ部が設けられていれば、鍔部２４をボルト取付部２３の上壁３０の上面に載置した状態で、この下端部２６のねじ部を上壁３０の貫通孔を介して下方へ突出させ、この下端部２６のねじ部にナット部材を螺着するようにすれば、このボルト部材２５をボルト取付部２３に立設することができる。
【００２１】
ところで、この実施形態においては、第１凸部１６ａと第２凸部１６ｂとが連続して形成されて、その高さが第３凸部１６ｃよりも低く設定されているので、３つのボルト取付部２３の鍔部載置面３２を同一高さにするために、第３凸部１６ｃに設けられるボルト取付部２３の側壁部３１の高さ寸法を、第１凸部１６ａ及び第２凸部１６ｂに設けられるボルト取付部２３の側壁部３１よりも小さくしている。しかしながら、第１凸部１６ａ及び第２凸部１６ｂの高さを、第３凸部１６ｃと同一高さとすれば、各ボルト取付部２３・・の側壁部３１・・の高さを同一とすることができる。また、第１凸部１６ａと第２凸部１６ｂとを独立状に構成してもよい。
【００２２】
そして、圧縮機２には、図１に示すように、その外周面３３の下端部に複数個（図例では３個）の取付片３４・・が設けられている。この取付片３４は、上下方向に延びる第１部３５と、この第１部３５の下端から水平方向へ延びる第２部３６とからなり、第１部３５が圧縮機２の外周面３３に溶接等にて固着され、第２部３６が圧縮機２の外周面３３から径方向外方へ突設された状態となる。また、第２部３６には貫通孔３７が設けられ、この貫通孔３７にボルト部材２５の上方のねじ部２７が挿通される。この際、取付片３４の第２部３６とボルト部材２５の鍔部２４との間に短筒状の防振ゴム等からなる防振材（図示省略）が介装される。従って、圧縮機２の重量を防振材を介して鍔部２４で受けることができる。これによって、各ボルト取付部２３・・に取付片３４が固定された状態で、圧縮機２がこの底フレーム４に立設支持されることになる。なお、軸部２８のねじ部２７にナット部材を螺着することによって、取付片３４からのボルト部材２５の抜けを防止することができる。
【００２３】
ところで、上記圧縮機支持構造では、図２（ｂ）に示すように、ボルト部材２５に圧縮機２から傾動するような荷重（例えば、矢印Ａ方向の荷重）が付与（付加）されれば、鍔部２４がその中心部を支点として傾こうとして、鍔部２４の外縁部２４ａから鍔部載置面３２に矢印Ｂのように荷重が作用する。しかしながら、この圧縮機支持構造では、ボルト部材２５の鍔部２４の外径寸法Ｄを、ボルト取付部２３の鍔部載置面３２の外径寸法Ｄ１と略同一に設定しているので、鍔部２４の外縁部（外周縁部）２４ａが鍔部載置面３２の外縁部（外周縁部）３２ａに対応する。このため、鍔部２４からの荷重を鍔部載置面３２の稜線部、つまり外縁部（外周縁部）３２ａで受けることになる。従って、このボルト取付部２３での許容荷重が向上して、底フレーム４の板厚を大きくすることなく、圧縮機２を安定して支持することができる。このため、振動や騒音の発生を抑えることができ、静かな室外機を構成することができる。しかも、底フレームの板厚を小さくできるので、コストの低減を図ると共に、軽量化を達成して、設置作業性及び搬送性の向上を図ることができる。
【００２４】
次に図４は他の実施の形態を示し、この場合、ボルト部材２５の鍔部２４の外径寸法Ｄを、ボルト取付部２３の鍔部載置面３２の外径寸法Ｄ１よりも大きくしている。すなわち、鍔部２４の外縁部（外周縁部）２４ａをボルト取付部２３の鍔部載置面３２の外縁部（外周縁部）３２ａから外周側にはみ出すように設定している。従って、この場合であっても、ボルト部材２５が傾動するような荷重が作用して、鍔部２４が傾こうとする荷重がボルト取付部２３に作用しても、この作用する荷重を鍔部載置面３２の外周縁部（稜線部）３２ａで受けることになり、このボルト取付部２３での許容荷重が向上する。このため、上記図２に示す圧縮機支持構造と同様、底フレーム４の板厚を大きくすることなく、圧縮機２を安定して支持することができる。
【００２５】
ところで、ボルト取付部２３の鍔部載置面３２となる上面としては、円形平面に限るものではなく、図５に示すように、矩形状平面又は長円形状平面等であってもよい。この場合、ボルト部材２５の鍔部２４の外径寸法Ｄを、鍔部載置面３２の幅寸法Ｗよりも大きく設定する。このため、ボルト部材２５の鍔部２４の外周縁部２４ａの一部が鍔部載置面３２の外縁部（稜線部）３２ａの幅方向端縁部３２ｂ、３２ｂからはみ出すことになっている。この際、ボルト部材２５がどちらかの幅方向端縁部３２ｂ側に倒れようとする荷重が作用した場合、ボルト取付部２３に作用する荷重をこの幅方向端縁部３２ｂで受けることができる。また、ボルト部材２５がどちらかの長手方向端部３２ｃ側に倒れようとする荷重が作用した場合、ボルト部材２５の鍔部２４の外周縁部２４ａと幅方向端縁部３２ｂ、３２ｂとが交差しているので、この交差部の稜線部にて鍔部２４からの荷重を受けることができる。このため、このような圧縮機支持構造であっても、このボルト取付部２３での許容荷重が向上して、上記図２に示した圧縮機支持構造と同様に、底フレーム４の板厚を大きくすることなく、圧縮機２を安定して支持することができる。なお、このように鍔部載置面３２が矩形状平面又は長円形状平面等である場合において、鍔部２４の外径寸法Ｄと、鍔部載置面３２の幅寸法Ｗとを略同一に設定してもよく、この場合であっても、圧縮機２を安定して支持することができる。
【００２６】
また、上記各実施形態のボルト取付部２３はその断面形状が台形状とされるので、絞り加工等にてこのボルト取付部２３を簡単に形成することができる。しかも、ボルト部材２５の鍔部２４を、このボルト取付部２３の上面の載置面３２に安定して載置することができて、圧縮機２を確実に支持することができる。
【００２７】
以上にこの発明の具体的な実施の形態について説明したが、この発明は上記実施の形態に限られるものではなく、この発明の範囲内で種々変更して実施することが可能である。例えば、底フレーム４の凹凸面部１８の形状として、図１に示すものに限るものではなく、圧縮機設置部１２において、図２や図４や図５等に示すようなボルト取付部２３が形成できると共に、底フレーム４に滴下するドレン水をドレン水排出溝２２を導入でき、さらには、圧縮機２や室外熱交換器やファン等を室外機ケーシング３内に収納固定することができるものであればよい。また、ボルト取付部２３としては、例えば絞り加工等にて形成できるが、側壁部３１の傾斜角度αとしても任意に設定できる。この際、上壁３０がボルト部材２５の鍔部２４からの荷重を受けることを考慮して設定する必要がある。すなわち、図２に示すような場合、荷重を稜線部３２ａで受けることになるので、その傾斜角度αが小さ過ぎれば、僅かな荷重で、ボルト取付部２３が圧潰状となるおそれがあり、傾斜角度αが大き過ぎれば、加工しにくい等の問題がある。そのため、傾斜角度αとしては４５度程度が好ましい。さらに、図４に示すように、鍔部２４の外縁部（外周縁部）２４ａがボルト取付部２３の上面（鍔部載置面）からはみ出す場合におけるはみ出し量としても任意に設定できるが、あまり大き過ぎると、鍔部２４の受ける面積が小さくなって、圧縮機２を安定して支持できないおそれがある。なお、圧縮機２に対するボルト取付部２３の数としては、３個に限るものではなく、その数の増減は任意であり、このため、圧縮機２に設けられる取付片３４の数もこれに応じて任意に変更することができる。さらに、鍔部２４として、円盤状体から構成せずに、正方形状、矩形状、三角形状、又は五角形以上の平板体等から構成してもよく、ボルト取付部２３の鍔部載置面３２としても、鍔部２４の形状に対応した形状であっても、相違する形状であってもよい。なお、鍔部載置面３２が鍔部２４の形状に対応した形状である場合、それらの外縁部が対応するものであっても、鍔部２４の外縁部が鍔部載置面３２の外縁部よりも大きく設定されて、鍔部２４の外縁部が鍔部載置面３２の外縁部よりも外側にはみ出すものであってもよい。
【図面の簡単な説明】
【００２８】
【図１】この発明の圧縮機支持構造の実施形態を示す斜視図である。
【図２】上記圧縮機支持構造のボルト部材の取付方法を示し、（ａ）はカシメ前の状態の断面図であり、（ｂ）はカシメ後の状態の断面図である。
【図３】上記圧縮機支持構造が使用された室外機の斜視図である。
【図４】この発明の圧縮機支持構造の他の実施形態を示す断面図である。
【図５】この発明の圧縮機支持構造の別の実施形態を示す斜視図である。
【図６】従来の圧縮機支持構造の断面図である。
【符号の説明】
【００２９】
４・・底フレーム、２３・・ボルト取付部、２４・・鍔部、２４ａ・・外縁部、２５・・圧縮機用固定用ボルト部材、３２・・鍔部載置面、３２ａ・・外縁部
【図１】
2005055129.tif 000003
【図２】
2005055129.tif 000004
【図３】
2005055129.tif 000005
【図４】
2005055129.tif 000006
【図５】
2005055129.tif 000007
【図６】
2005055129.tif 000008